(57)【要約】【課題】より簡単な構造で複数の機能を動作させることができるドームスイッチ装置、該ドームスイッチ装置を備えたプリント配線モジュール及び該プリント配線モジュールを備えた電子機器の提供を課題とする。【解決手段】所定の指令を入力するための入力キー１１０と、該入力キー１１０の下方に位置し、前記入力キー１１０の動作に従動してスイッチオン、スイッチオフを行うドーム状のスイッチ動作子３１０とを１つ若しくは複数のプリント配線層５１０を積層したプリント配線板上に備えたドームスイッチ装置であって、該ドームスイッチ装置は、１つの入力キー１１０で動作する２以上のスイッチ手段を有する。【選択図】      図３
2010277813.tif 000002
【特許請求の範囲】
【請求項１】
所定の指令を入力するための入力キーと、該入力キーの下方に位置し、前記入力キーの動作に従動してスイッチオン、スイッチオフを行うドーム状のスイッチ動作子とを１つ若しくは複数のプリント配線層を積層したプリント配線板上に備えたドームスイッチ装置であって、該ドームスイッチ装置は、１つの入力キーで動作する２以上のスイッチ手段を有することを特徴とするドームスイッチ装置。
【請求項２】
前記２以上のスイッチ手段は、入力キーの押し込み強度の相違又は押し込み深さの相違若しくはそれらの組み合わせにより構成されることを特徴とする請求項１に記載のドームスイッチ装置。
【請求項３】
前記２以上のスイッチ手段は、１つのプリント配線層上に構成されるスイッチ手段と、複数のプリント配線層間に構成されるスイッチ手段とを備えることを特徴とする請求項１又は２に記載のドームスイッチ装置。
【請求項４】
前記１つのプリント配線層上に構成されるスイッチ手段は、一方のスイッチ接点をドーム状のスイッチ動作子とし、他方のスイッチ接点をプリント配線層上に形成した導電層とすると共に、前記ドーム状のスイッチ動作子の反転によりスイッチオン、スイッチオフされる構成とされていることを特徴とする請求項３に記載のドームスイッチ装置。
【請求項５】
前記複数のプリント配線層間に構成されるスイッチ手段は、スペースを介して積層された複数の導電層がスイッチ動作子を介して接触、非接触されることでスイッチオン、スイッチオフされる構成とされていることを特徴とする請求項３に記載のドームスイッチ装置。
【請求項６】
請求項１から５の何れか１項に記載のドームスイッチ装置と、導光板とを備えたプリント配線モジュール。
【請求項７】
請求項６に記載のプリント配線モジュールを備えた電子機器。
【発明の詳細な説明】
【技術分野】
【０００１】
本発明はドームスイッチ装置、該ドームスイッチ装置を備えたプリント配線モジュール及び該プリント配線モジュールを備えた電子機器に関する。
【背景技術】
【０００２】
携帯電話機、ノートパソコン、デジタルカメラ等の電子機器においては、一般的に、入力モジュールを用いて所用の入力操作ができるようになされている。そして前記入力モジュールには、その構成の一部として、入力操作に伴ってスイッチ動作がなされるよう、スイッチング用の固定接点を導電パターン上に備えたフレキシブルプリント配線板が用いられたりする。
また前記携帯電話機等の電子機器においては、入力キー等を備えた入力操作部からの押圧スイッチ操作を前記フレキシブルプリント配線板の一対の固定接点間における断接動作に結びつける仲介部材として、ドーム状の可動接点を用いる場合が多い。
また前記携帯電話機等の電子機器においては、入力モジュールとして、光源からの光を入力キーに伝える導光板が用いられたりする。
前記ドーム状の可動接点を用いてスイッチングを行う従来技術として、例えば下記特許文献１がある。
下記特許文献１は、スイッチ用可動接点ユニットおよびそれを用いたスイッチ装置に関する発明で、組立作業が良好で製造コストおよび消費電力を低減できると共に、導光ロスを抑制できて照光品位の良好なスイッチ用可動接点ユニットと、かかるスイッチ用可動接点ユニットを用いたスイッチ装置が開示されている。
【先行技術文献】
【特許文献】
【０００３】
【特許文献１】特開２００８−１８１７９１号公報
【発明の概要】
【発明が解決しようとする課題】
【０００４】
しかしながら、上記特許文献１に示すスイッチ用可動接点ユニットおよびそれを用いたスイッチ装置では、いわゆるドームスイッチを構成する可動接点１２が回路基板に形成された固定接点７に接することで通電されスイッチ信号が流れるため、オン、オフ機能しか有しておらず、オン、オフ以外の機能を動作させるためには、例えばオン時間による制御が必要となり、制御機能の付加が必要となるという問題があった。
【０００５】
そこで本発明は上記従来における問題点を解決し、より簡単な構造で複数の機能を動作させることができるドームスイッチ装置、該ドームスイッチ装置を備えたプリント配線モジュール及び該プリント配線モジュールを備えた電子機器の提供を課題とする。
【課題を解決するための手段】
【０００６】
本発明のドームスイッチ装置は、所定の指令を入力するための入力キーと、該入力キーの下方に位置し、前記入力キーの動作に従動してスイッチオン、スイッチオフを行うドーム状のスイッチ動作子とを１つ若しくは複数のプリント配線層を積層したプリント配線板上に備えたドームスイッチ装置であって、該ドームスイッチ装置は、１つの入力キーで動作する２以上のスイッチ手段を有することを第１の特徴としている。
【０００７】
上記本発明の第１の特徴によれば、所定の指令を入力するための入力キーと、該入力キーの下方に位置し、前記入力キーの動作に従動してスイッチオン、スイッチオフを行うドーム状のスイッチ動作子とを１つ若しくは複数のプリント配線層を積層したプリント配線板上に備えたドームスイッチ装置であって、該ドームスイッチ装置は、１つの入力キーで動作する２以上のスイッチ手段を有することから、１つの入力キーで複数の機能を動作させることができるドームスイッチ装置とすることができる。
【０００８】
また本発明のドームスイッチ装置は、上記本発明の第１の特徴に加えて、前記２以上のスイッチ手段は、入力キーの押し込み強度の相違又は押し込み深さの相違若しくはそれらの組み合わせにより構成されることを第２の特徴としている。
【０００９】
上記本発明の第２の特徴によれば、上記本発明の第１の特徴による作用効果に加えて、前記２以上のスイッチ手段は、入力キーの押し込み強度の相違又は押し込み深さの相違若しくはそれらの組み合わせにより構成されることから、より簡単な構造で複数の機能を動作させることができるドームスイッチ装置とすることができる。
【００１０】
また本発明のドームスイッチ装置は、上記本発明の第１又は第２の特徴に加えて、前記２以上のスイッチ手段は、１つのプリント配線層上に構成されるスイッチ手段と、複数のプリント配線層間に構成されるスイッチ手段とを備えることを第３の特徴としている。
【００１１】
上記本発明の第３の特徴によれば、上記本発明の第１又は第２の特徴による作用効果に加えて、前記２以上のスイッチ手段は、１つのプリント配線層上に構成されるスイッチ手段と、複数のプリント配線層間に構成されるスイッチ手段とを備えることから、１つの入力キーで動作する２以上のスイッチ手段を効果的に形成することができる。
【００１２】
また本発明のドームスイッチ装置は、上記本発明の第３の特徴に加えて、前記１つのプリント配線層上に構成されるスイッチ手段は、一方のスイッチ接点をドーム状のスイッチ動作子とし、他方のスイッチ接点をプリント配線層上に形成した導電層とすると共に、前記ドーム状のスイッチ動作子の反転によりスイッチオン、スイッチオフされる構成とされていることを第４の特徴としている。
【００１３】
上記本発明の第４の特徴によれば、上記本発明の第３の特徴による作用効果に加えて、前記１つのプリント配線層上に構成されるスイッチ手段は、一方のスイッチ接点をドーム状のスイッチ動作子とし、他方のスイッチ接点をプリント配線層上に形成した導電層とすると共に、前記ドーム状のスイッチ動作子の反転によりスイッチオン、スイッチオフされる構成とされていることから、入力キーの動作に従動してスイッチ動作子を沈み込ませることができ、良好なクリック感を得ることができる。
【００１４】
また本発明のドームスイッチ装置は、上記本発明の第３の特徴に加えて、前記複数のプリント配線層間に構成されるスイッチ手段は、スペースを介して積層された複数の導電層がスイッチ動作子を介して接触、非接触されることでスイッチオン、スイッチオフされる構成とされていることを第５の特徴としている。
【００１５】
上記本発明の第５の特徴によれば、上記本発明の第３の特徴による作用効果に加えて、前記複数のプリント配線層間に構成されるスイッチ手段は、スペースを介して積層された複数の導電層がスイッチ動作子を介して接触、非接触されることでスイッチオン、スイッチオフされる構成とされていることから、プリント配線層間に複数のスイッチ手段を容易に形成することができる。
【００１６】
また本発明のプリント配線モジュールは、第１から第５の何れか１つの特徴に記載のドームスイッチ装置と、導光板とを備えたことを第６の特徴としている。
【００１７】
上記本発明の第６の特徴によれば、プリント配線モジュールは、第１から第５の何れか１つの特徴に記載のドームスイッチ装置と、導光板とを備えた構成としてあることから、簡単な構造で複数の機能を動作させることができると共に、高輝度なプリント配線モジュールとすることができる。
【００１８】
また本発明の電子機器は、第６の特徴に記載のプリント配線モジュールを備えたことを第７の特徴としている。
【００１９】
上記本発明の第７の特徴によれば、電子機器は、第６の特徴に記載のプリント配線モジュールを備えた構成としてあることから、簡単な構造で複数の機能を動作させることができると共に、高輝度な電子機器とすることができる。
【発明の効果】
【００２０】
本発明のドームスイッチ装置、該ドームスイッチ装置を備えたプリント配線モジュール及び該プリント配線モジュールを備えた電子機器によれば、簡単な構造で複数の機能を動作させることができるドームスイッチ装置、該ドームスイッチ装置を備えたプリント配線モジュール及び該プリント配線モジュールを備えた電子機器とすることができると共に、高輝度なプリント配線モジュール及び電子機器とすることができる。
【図面の簡単な説明】
【００２１】
【図１】本発明の実施形態に係る電子機器としての携帯電話機を示す斜視図である。
【図２】本発明の実施形態に係る電子機器としての携帯電話機のプリント配線モジュールの平面図である。
【図３】図２に示すプリント配線モジュールの要部の断面図で、（ａ）は入力キーが押される前の状態を示す図、（ｂ）は入力キーが押された時の第１段階の動作を説明する図、（ｃ）は入力キーが押された時の第２段階の動作を説明する図である。
【図４】本発明の実施形態に係る電子機器としての携帯電話機のプリント配線モジュールの変形例１を示す要部の断面図で、（ａ）は入力キーが押される前の状態を示す図、（ｂ）は入力キーが押された時の第１段階の動作を説明する図、（ｃ）は入力キーが押された時の第２段階の動作を説明する図である。
【図５】本発明の実施形態に係る電子機器としての携帯電話機のプリント配線モジュールの変形例２を示す要部の断面図で、（ａ）は入力キーが押される前の状態を示す図、（ｂ）は入力キーが押された時の第１段階の動作を説明する図、（ｃ）は入力キーが押された時の第２段階の動作を説明する図である。
【発明を実施するための形態】
【００２２】
以下の図面を参照して、本発明の実施形態に係る電子機器としての携帯電話機を説明し、本発明の理解に供する。しかし、以下の説明は本発明の実施形態であって、特許請求の範囲に記載の内容を限定するものではない。
【００２３】
まず図１を参照して、本発明の実施形態に係る携帯電話機１は、入力部１ａと、表示部１ｂとを備える。表示部１ｂは、ヒンジ部１ｃを介して入力部１ａに開閉自在とされている。
【００２４】
図２、図３も参照して、前記入力部１ａには、そのケース１ｄ内に入力モジュールとしてのプリント配線モジュール２を備えている。プリント配線モジュール２には、入力操作部１００、導光板２００、ドーム状可動接点シート３００、光源４００、回路基板５００を備えている。
【００２５】
前記入力操作部１００は、入力操作を行う部分で、前記入力部１ａに露出した入力キー１１０を備える。また図３（ａ）に示すように、入力キー１１０には、押子１１１が形成されている。
なお入力キー１１０は、透明性の硬質樹脂で形成され、数字、アルファベット、記号等の特定の形状が視認可能に設けられている。数字、アルファベット、記号等の特定の形状の形成方法は、特定の形状を遮光性材料でマークするものや、特定の形状以外を遮光性材料でマークするものの何れであってもよい。
【００２６】
前記導光板２００は、入力キー１１０の下方に位置し、光源４００から導入した光で入力キー１１０を照光するためのものである。より具体的には、光源４００の照光端面４１０から照光された光を光導入端面２１０から導入し、導光板２００内を全反射させながら入力キー１１０を照光する。
また図３（ａ）に示すように、導光板２００における押子１１１に対応した位置で且つ下面側には、導光板２００を通過してきた光を入力キー１１０方向へ出射させる光出射構造部２２０を備えている。このような構成とすることで、導光板２００を通過してきた光を入力キー１１０方向へ効率的に出射させることができる。
【００２７】
この光出射構造部２２０は、図３（ａ）に示すように、凹凸形状のパターンによって構成されている。このように凹凸形状のパターンによって構成することで、導光板２００内を全反射状態で導かれてきた光を物理的な凹凸形状のパターンの位置で確実に散乱させて入力キー１１０方向へ出射させることができる。よって入力キー１１０の輝度を向上させることができる。
この凹凸形状はホットスタンピング、射出成形、マイクロブラスト、その他の方法で成形することが可能である。
【００２８】
なお光出射構造部２２０は、凹凸形状のパターンによって構成するものに限るものではない。例えば、光散乱剤の含有されたインクによる印刷によって形成することができる。このような構成とすることで、導光板２００内を全反射状態で導かれてきた光を光散乱剤を含む印刷パターンの位置で確実に散乱させて入力キー１１０方向へ出射させることができる。よって入力キー１１０の輝度を向上させることができる。
また印刷パターンとすることで、導光板２００を薄肉なものとすることができ、プリント配線モジュール２及び携帯電話機１の小型化を図ることができる。
【００２９】
なお導光板２００は、ポリカーボネート、アクリル、ポリウレタン、ノルボルネン樹脂等可視光域の光を十分透過させることができる樹脂で形成される。
また光出射構造部２２０を備える導光板２００の製造方法としては、射出成形やホットエンボス成形を用いることができる。
なお導光板２００の厚みは、５０μｍ〜４００μｍで、光出射構造部２２０の厚みは、０．５μｍ〜５０μｍとすることが望ましい。
【００３０】
前記ドーム状可動接点シート３００は、導光板２００の下方に位置し、メタルドームと称する導電性金属膜からなるドーム状のスイッチ動作子３１０を備えたシートである。このドーム状可動接点シート３００は、回路基板５００上に配設され、回路基板５００の上面部を被覆している。
このドーム状可動接点シート３００は、ラバー等の軟質の弾性シートから構成することができる。
なおドーム状可動接点シート３００の厚みは、１０μｍ〜２００μｍとすることが望ましい。
【００３１】
前記光源４００は、例えばＬＥＤで構成することができる。この光源４００は、図２、図３（ａ）に示すように、回路基板５００上における導光板２００の光導入端面２１０と対向する位置に設備される。
【００３２】
前記回路基板５００は、いわゆるプリント配線板で、図３に示すように、プリント配線層５１０と、樹脂層５２０とから構成される。この回路基板５００と、既述した入力キー１１０、スイッチ動作子３１０とで１つの入力キーで動作する２以上のスイッチ手段を有するドームスイッチ装置が構成される。
なお図３（ｂ）、図３（ｃ）においては、ドーム状可動接点シート３００及び回路基板５００のみを示すものとする。
【００３３】
前記プリント配線層５１０は、スイッチ接点となる導電層たる回路部を備えるものであり、銅箔によるパターンを樹脂層５２０上に形成することで構成される。このプリント配線層５１０は、図３に示すように、第１回路部５１１と第２回路部５１２とを備える１つのプリント配線層と、第３回路部５１３を備える１つのプリント配線層との２層で構成される。
【００３４】
前記第１回路部５１１及び第３回路部５１３は、複数のプリント配線層間に構成されるスイッチ手段を形成するものである。この第１回路部５１１は、上面にスイッチ動作子３１０を設置すると共に、上面及び下面に導電パターンを備える回路部であり、押子１１１を介して入力キー１１０の動作に従動してスイッチ動作子３１０が下方へ押し込まれることで、上面に導電パターンを備える第３回路部５１３と接触し、回路基板５００にキー入力信号を発生させる。
【００３５】
より具体的には、図３（ａ）に示すように、プリント配線層５１０と樹脂層５２０とが積層された回路基板５００において、第１回路部５１１と第３回路部５１３との間の部分は、樹脂層５２０が除去されている。
つまり下面に導電パターンを備える第１回路部５１１と、上面に導電パターンを備える第３回路部５１３とがスペースＬを介して積層された状態となっており、スペースＬを介して積層された複数のプリント配線層がスイッチ動作子３１０を介して接触、非接触されることでスイッチオン、スイッチオフされるスイッチ手段となっている。
【００３６】
前記第２回路部５１２は、１つのプリント配線層上に構成されるスイッチ手段を形成するものである。この第２回路部５１２は、上面に導電パターンを備える回路部であり、押子１１１を介して入力キー１１０の動作に従動してスイッチ動作子３１０が下方へ押し込まれ、反転することで、スイッチ動作子３１０と接触し、回路基板５００にキー入力信号を発生させる。
つまり一方のスイッチ接点をドーム状のスイッチ動作子３１０とし、他方のスイッチ接点をプリント配線層上に形成した第２回路部５１２とすると共に、スイッチ動作子３１０の反転によりスイッチオン、スイッチオフされるスイッチ手段となっている。
【００３７】
ここで、図３（ａ）に示すように、スペースＬは、スイッチ動作子３１０の直下部分である第１回路部５１１と第３回路部５１３との間に形成されると共に、スペースＬを構成する端面５２１は、スイッチ動作子３１０よりも外側に配置されている。
ここで及び以下の説明において、「外側」とは、入力キー１１０の押子１１１から遠ざかる方向を示し、「内側」とは、入力キー１１０の押子１１１に近づく方向を示すものとする。
【００３８】
このような構成とすることで、プリント配線層間に構成されるスイッチ手段と、プリント配線層上に構成されるスイッチ手段とからなる２つのスイッチ手段は、１つの入力キー１１０の押し込みにより動作されるところ、２つのスイッチ手段を入力キー１１０の押し込み強度の相違により構成することができる。
つまりプリント配線層間に構成されるスイッチ手段を動作させる入力キー１１０の押し込み強度を、プリント配線層上に構成されるスイッチ手段を動作させる入力キー１１０の押し込み強度よりも弱い強度とすることができる。
【００３９】
具体的には、図３（ａ）、図３（ｂ）を参照して、入力キー１１０が押し込まれると、押子１１１が下方へ押し下げられ、それに従動してスイッチ動作子３１０が下方へ押し込まれる。それに伴い第１回路部５１１が押し下げられ、第３回路部５１３と接地する。この接地によって第１回路部５１１と第３回路部５１３とがスイッチ動作子３１０を介してスイッチオンされる。よって第１段階のプリント配線層間に構成されるスイッチ手段が動作される。
【００４０】
この状態のまま更に強い押圧力で入力キー１１０が押し込まれると、図３（ｃ）に示すように、スイッチ動作子３１０が下方へ押し込まれ、第２回路部５１２と接地する。この接地によって第１回路部５１１と第２回路部５１２とがスイッチ動作子３１０を介してスイッチオンされる。よって第２段階のプリント配線層上に構成されるスイッチ手段が動作される。
また入力キー１１０の押圧が解除されると、押し込まれていたドーム状のスイッチ動作子３１０の上方への復元力により、プリント配線層上に構成されるスイッチ手段がスイッチオフされる。更に入力キー１１０の押圧が解除されると、押し込まれていたドーム状のスイッチ動作子３１０の更なる上方への復元力により、プリント配線層間に構成されるスイッチ手段がスイッチオフされる。
【００４１】
前記樹脂層５２０としては、絶縁性の樹脂材料を用いることができる。
なお樹脂層５２０を構成する各層の厚みは、１μｍ〜１００μｍとすることが望ましい。
【００４２】
以上のような構成とすることで、１つの入力キー１１０の押し込み強度の相違によって動作する２つのスイッチ手段を有するドームスイッチ装置を備えたプリント配線モジュール２とすることができる。よって簡単な構造で複数の機能を動作させることができると共に、高輝度な携帯電話機１とすることができる。
【００４３】
次に図４を参照して、本発明の実施形態に係る電子機器としての携帯電話機のプリント配線モジュールの変形例１を説明する。
【００４４】
本変形例１は、複数のプリント配線層間に構成されるスイッチ手段をスイッチ動作子３１０の直下部分に形成するものではなく、プリント配線層５１０と樹脂層５２０とが積層される内部に形成するものである。その他の構成については、既述した本発明の実施形態と同一である。同一部材、同一機能を果たすものには、同一番号を付し、以下の説明を省略する。
【００４５】
図４に示すように、第３回路部５１３と第４回路部５１４との間の樹脂層５２０を除去してスペースＭを形成することで、複数のプリント配線層間に構成されるスイッチ手段を形成している。
また図４に示すように、スペースＭを構成する端面５２２は、スイッチ動作子３１０よりも外側に配置されている。つまり除去された絶縁層５２０の領域をスイッチ動作子３１０よりも大きいものとしている。このような構成とすることで、プリント配線層間に構成されるスイッチ手段を動作させる入力キー１１０の押し込み強度を、プリント配線層上に構成されるスイッチ手段を動作させる入力キー１１０の押し込み強度よりも弱い強度とすることができる。
【００４６】
具体的には、図４（ａ）、図４（ｂ）を参照して、入力キー１１０が押し込まれると、押子１１１が下方へ押し下げられ、それに従動してスイッチ動作子３１０が下方へ押し込まれる。それに伴い第３回路部５１３が押し下げられ、第４回路部５１４と接地する。この接地によって第３回路部５１３と第４回路部５１４とがスイッチ動作子３１０を介してスイッチオンされる。よって第１段階のプリント配線層間に構成されるスイッチ手段が動作される。
なお図４（ｂ）、図４（ｃ）においては、ドーム状可動接点シート３００及び回路基板５００のみを示すものとする。
【００４７】
この状態で更に強い押圧力で入力キー１１０が押し込まれると、図４（ｃ）に示すように、スイッチ動作子３１０が反転しつつ押し込まれ、第２回路部５１２と接地する。この接地によって第１回路部５１１と第２回路部５１２とがスイッチ動作子３１０を介してスイッチオンされる。よって第２段階のプリント配線層上に構成されるスイッチ手段が動作される。
また入力キー１１０の押圧が解除されると、押し込まれていたドーム状のスイッチ動作子３１０の上方への復元力により、プリント配線層上に構成されるスイッチ手段がスイッチオフされる。更に入力キー１１０の押圧が解除されると、押し込まれていたドーム状のスイッチ動作子３１０の更なる上方への復元力により、プリント配線層間に構成されるスイッチ手段がスイッチオフされる。
【００４８】
次に図５を参照して、本発明の実施形態に係る電子機器としての携帯電話機のプリント配線モジュールの変形例２を説明する。
【００４９】
本変形例２は、既述した変形例１において、プリント配線層間に構成されるスペースの大きさを変形したものである。その他の構成については、既述した本発明の実施形態及び変形例１と同一である。同一部材、同一機能を果たすものには、同一番号を付し、以下の説明を省略する。
【００５０】
図５に示すように、第３回路部５１３と第４回路部５１４との間の樹脂層５２０を除去してスペースＮを形成することで、複数のプリント配線層間に構成されるスイッチ手段を形成している。
また図５に示すように、スペースＮを構成する端面５２３は、スイッチ動作子３１０よりも内側に配置されている。つまり除去された絶縁層５２０の領域をスイッチ動作子３１０よりも小さいものとしている。このような構成とすることで、プリント配線層上に構成されるスイッチ手段を動作させる入力キー１１０の押し込み強度を、プリント配線層間に構成されるスイッチ手段を動作させる入力キー１１０の押し込み強度よりも弱い強度とすることができる。
【００５１】
具体的には、図５（ａ）、図５（ｂ）を参照して、入力キー１１０が押し込まれると、押子１１１が下方へ押し下げられ、それに従動してスイッチ動作子３１０が反転しつつ下方へ押し込まれ、第２回路部５１２と接地する。この接地によって第１回路部５１１と第２回路部５１２とがスイッチ動作子３１０を介してスイッチオンされる。よって第１段階のプリント配線層上に構成されるスイッチ手段が動作される。
なお図５（ｂ）、図５（ｃ）においては、ドーム状可動接点シート３００及び回路基板５００のみを示すものとする。
【００５２】
この状態で更に強い押圧力で入力キー１１０が押し込まれると、図５（ｃ）に示すように、スイッチ動作子３１０が下方へ押し込まれる。それに伴い第３回路部５１３が押し下げられ、第４回路部５１４と接地する。この接地によって第３回路部５１３と第４回路部５１４とがスイッチ動作子３１０を介してスイッチオンされる。よって第２段階のプリント配線層間に構成されるスイッチ手段が動作される。
また入力キー１１０の押圧が解除されると、押し込まれていたドーム状のスイッチ動作子３１０の上方への復元力により、プリント配線層間に構成されるスイッチ手段がスイッチオフされる。更に入力キー１１０の押圧が解除されると、押し込まれていたドーム状のスイッチ動作子３１０の更なる上方への復元力により、プリント配線層上に構成されるスイッチ手段がスイッチオフされる。
【００５３】
なお本実施形態及び変形例１、２においては、入力キー１１０の押し込み強度の相違によって２つのスイッチ手段が動作される構成としたが、必ずしもこのような構成に限るものではない。例えば、入力キー１１０の押し込み深さの相違によって２つのスイッチ手段が実現される構成としてもよいし、入力キー１１０の押し込み強度の相違と押し込み深さの相違とを組み合わせて２つのスイッチ手段が動作される構成としてもよい。
また本実施形態においては、スイッチ手段は２つとしたが、必ずしもこのような構成に限るものではなく、２以上のスイッチ手段を有する構成としてもよい。
【産業上の利用可能性】
【００５４】
本発明は携帯電話機等の電子機器、それに用いられるプリント配線モジュールとして利用することができる。
【符号の説明】
【００５５】
１            携帯電話機
１ａ          入力部
１ｂ          表示部
１ｃ          ヒンジ部
１ｄ          ケース
２            プリント配線モジュール
１００        入力操作部
１１０        入力キー
１１１        押子
２００        導光板
２１０        光導入端面
２２０        光出射構造部
３００        ドーム状可動接点シート
３１０        スイッチ動作子
４００        光源
４１０        照光端面
５００        回路基板
５１０        プリント配線層
５１１        第１回路部
５１２        第２回路部
５１３        第３回路部
５１４        第４回路部
５２０        樹脂層
５２１        端面
５２２        端面
５２３        端面
Ｌ        スペース
Ｍ        スペース
Ｎ        スペース
【図１】
2010277813.tif 000003
【図２】
2010277813.tif 000004
【図３】
2010277813.tif 000005
【図４】
2010277813.tif 000006
【図５】
2010277813.tif 000007